(57)【特許請求の範囲】
【請求項１】
Ｌ−アスコルビン酸粉末及びＬ−アスコルビン酸ナトリウム粉末のうちのいずれか一方又は両方、塩化ナトリウム粉末、食用色素青色２号粉末、及び炭酸マグネシウム粉末を含む混合粉末であることを特徴とする塩素系漂白・除菌剤の無害化処理剤。
【請求項２】
Ｌ−アスコルビン酸粉末及びＬ−アスコルビン酸ナトリウム粉末のうちのいずれか一方又は両方１０〜３０重量％、塩化ナトリウム粉末６０重量％以上、食用色素青色２号粉末０．０５〜０．５重量％、及び炭酸マグネシウム粉末０．３〜３重量％を含む混合粉末である請求項１に記載の塩素系漂白・除菌剤の無害化処理剤。
【請求項３】
粉末状界面活性剤を含む請求項１又は請求項２に記載の塩素系漂白・除菌剤の無害化処理剤。
【発明の詳細な説明】
【０００１】
【発明の属する技術分野】
本発明は、家庭用、業務用に使用される塩素系漂白・除菌剤を使用した後の処理液や廃液、或は誤ってこぼした液を無害化するための処理剤に関するものである。
【０００２】
【従来の技術】
次亜塩素酸塩を主成分とする塩素系漂白・除菌剤は、洗濯物の漂白・除菌；ふきん、おしぼり等の漂白と除菌・除臭；食器、調理具の漂白と除菌・除臭：冷蔵庫、食器棚の除菌・除臭、トイレの除菌・除臭・汚れ落し；風呂場のかび落しなどと巾広く使用され、家庭に普及している。しかし、酸性タイプの薬剤と混合した場合塩素が急激に発生し、また誤ってこぼした場合にも塩素が大量に発生するので危険である。また次亜塩素酸塩が残留している廃液は台所シンクの金属部、排水管などに悪影響を与え、浄化槽に流れ込むと廃液を浄化する微生物を死滅させる恐れがある。通常の使用に際しても、手に塩素臭が残り不快であるばかりでなく、手荒れ、肌荒れの原因となる。
【０００３】
【従来の技術】
本発明者らは、塩素系漂白・除菌剤の無害化処理剤として、水溶液がアルカリ性の還元剤及び還元剤に安定で酸化剤には不安定な色素を含む水溶液を提案した（特開平１０−２３５３３５号）。水溶液がアルカリ性の還元剤としては亜硫酸塩、チオ硫酸塩、アスコルビン酸塩が挙げられ、還元剤に安定で酸化剤には不安定な色素としては赤色４０１号、黄色２０３号、青色２号、黄色４０７号、橙色４０２号、黒色４０１号及び赤色５０４号が挙げられている。これらの色素は、無害化処理剤の適正使用量を判別するためのインディケーターとして重要な役割を果たすものである。家庭段階での実用化試験を行ったところ、主婦は青色を好むものが圧倒的に多いことがわかった。これは台所における清潔感が重視されたためと思われる。しかしながら、青色２号色素はこの処理剤水溶液中での長期保存安定性が他の食用色素に比べて劣り、比較的早めに退色することがわかった。流通段階での在庫期間及び消費者が使い切るまでの期間を考慮すれば、少なくとも１年間は色度が変化しないことが求められる。
【０００４】
【発明が解決しようとする課題】
本発明の目的は、青色２号色素をインディケーターとし、使用した塩素系漂白・除菌剤の量及び有効塩素濃度が不明であっても、過不足なく適量を添加して無害化することができ、しかも色度の長期安定性がある処理剤を提供することである。
【０００５】
【課題を解決するための手段】
本発明に係る塩素系漂白・除菌剤の無害化処理剤は、Ｌ−アスコルビン酸粉末及びＬ−アスコルビン酸ナトリウム粉末のうちのいずれか一方又は両方、塩化ナトリウム粉末、食用色素青色２号粉末、及び炭酸マグネシウム粉末を含む混合粉末であることを特徴とする。
【０００６】
適正な配合比率としては、Ｌ−アスコルビン酸粉末及びＬ−アスコルビン酸ナトリウム粉末のうちのいずれか一方又は両方１０〜３０重量％、塩化ナトリウム粉末６０重量％以上、食用色素青色２号粉末０．０５〜０．５重量％、炭酸マグネシウム粉末０．３〜３重量％程度が好ましく、その他、界面活性剤や、水溶液にした場合のｐＨ調整剤などを含んでいても良い。
【０００７】
この無害化処理剤を塩素系漂白・除菌剤を含む水溶液中に添加すると、漂白・除菌剤中の次亜塩素酸塩は処理剤中のＬ−アスコルビン酸又はＬ−アスコルビン酸ナトリウムと反応して無害化される。酸化剤である次亜塩素酸ソーダと還元剤であるＬ−アスコルビン酸の反応は下記（１）式の通りで、酸化型アルコルビン酸（C6H6O6）、食塩及び水を生成し、次亜塩素酸ソーダは無害化される。
NaClO＋C6H8O6→C6H6O6＋NaCl＋H2O （１）
【０００８】
処理剤の添加量が不足で次亜塩素酸塩が残留している場合には、処理剤中の青色２号色素は次亜塩素酸塩により酸化され脱色して無色になる。しかし処理剤の添加量が十分になり次亜塩素酸塩が消滅すると、添加された水溶液は色素本来の色で着色されるようになる。したがって、塩素系漂白・除菌剤を含む水溶液に着色が認められるところまで処理剤を添加すれば、水溶液中の次亜塩素酸塩は完全に無害化されたことになる。このようにして、塩素系漂白・除菌剤を使用した量やその有効成分（次亜塩素酸塩）濃度を知らずとも、処理剤を適量使用することが極めて容易である。理論量に対する１〜１．１倍の無害化処理剤の使用量で明らかな着色を認識し得る。
【０００９】
Ｌ−アスコルビン酸又はＬ−アスコルビン酸ナトリウムを高純度の粉末のまま使用すると、１回あたりの使用量が極めて少量になり、使いすぎる恐れがあるので、増量剤を混合してＬ−アスコルビン酸又はＬ−アスコルビン酸ナトリウムの濃度を１０〜３０重量％程度にすることが好ましい。増量剤としては人体に無害な塩化ナトリウム粉末、ブドー糖粉末、重炭酸ナトリウム粉末などが考えられるが、これらをＬ−アスコルビン酸粉末及び食用色素青色２号粉末と混合し長期保存試験を行ったところ、後述の比較例１，２，３に示す如く、１５ヶ月後には色度が１０〜１５％まで低下した。
【００１０】
本発明者はさらに研究を重ねた結果、Ｌ−アスコルビン酸粉末又はＬ−アスコルビン酸ナトリウム粉末のうちのいずれか一方又は両方と、塩化ナトリウム粉末と、食用色素青色２号との混合物に、更に炭酸マグネシウム粉末を混合することにより、食用色素青色２号の色度が少なくとも１年間、ほぼ同一水準に維持されることを見いだした（後述の実施例１〜４）。炭酸マグネシウム粉末の代わりに炭酸カルシウム又は乳酸カルシウムを用いた場合は食用色素青色２号の退色は防止できなかった（後述の比較例４，６）。また増量剤としてブドー糖粉末、重炭酸ナトリウム粉末を用いた場合に炭酸マグネシウムを加えても食用色素青色２号の退色は防止できなかった（後述の比較例５，７）。
【００１１】
本発明の処理剤は適量を添加して塩素系漂白・除菌剤を無害化することができるが、Ｌ−アスコルビン酸ナトリウムをベースとする処理剤で塩素を無害化した後の水溶液（処理液）はアルカリ性で、手にぬるつき感が残り不快であるばかりでなく、手あれ、肌荒れの原因となる。次亜塩素酸塩と本発明の無害化処理剤との反応生成物である食塩は中性であるが、しかし市販の塩素系漂白・除菌剤は、次亜塩素酸塩の安定化のためアルカリ性化合物を加えて通常ｐＨ＝１２以上のアルカリ性にしており、使用濃度でもｐＨ＝１１前後なので、塩素を無害化した後の水溶液もアルカリ性のままであるからである。これを改善するためには、Ｌ−アスコルビン酸ナトリウム粉末と、塩化ナトリウム粉末と、食用色素青色２号粉末と、炭酸マグネシウム粉末とを含む混合粉末に、更に食用有機酸粉末を加えた混合粉末とすればよい。
【００１２】
食用有機酸としては、蓚酸、クエン酸、リンゴ酸、酒石酸及びアスコルビン酸からなる群から選ばれる１種、又は２種以上が好適である。食用有機酸粉末の添加量は、Ｌ−アスコルビン酸ナトリウムの１０〜２０重量％程度が適当である。
【００１３】
一方、アスコルビン酸をベースとする処理剤で塩素を無害化した後の処理液は酸性で、ぬるつきの問題はないが、酸性のまま下水道に流すは好ましくない。この問題を解決するためには、Ｌ−アスコルビン酸粉末と、塩化ナトリウム粉末粉末と、食用色素青色２号粉末と、炭酸マグネシウム粉末とを含む混合粉末に、更に重炭酸ナトリウム粉末を加えた混合粉末とすればよい。重炭酸ナトリウム粉末の添加量は、Ｌ−アスコルビン酸の３０〜５０重量％程度が適当である。多量に添加すると、処理液のｐＨがアルカリサイドになるばかりでなく、色素の長期安定性が劣化する。
【００１４】
本発明の無害化処理剤の使用に関わる副次的問題点として、洗濯物、ふきん、おしぼり、タオルなどの布地を塩素系漂白・除菌剤を使用後、本発明の無害化処理剤を使いすぎた場合、無害化処理中の色素により布地が着色する場合がある。これを防止するには、無害化処理剤中に粉末状界面活性剤を添加すると良い。
粉末状界面活性剤としては、ステアリルアルコール（牛脂アルコール）２５モルＥＯ付加物などが挙げられる。粉末状界面活性剤の添加量は無害化処理剤中に１〜２重量％程度が適当である。
【００１５】
【発明の実施の形態】
以下実施例により本発明を具体的に説明するが、本発明は下記の実施例に限定されるものではなく、本発明の要旨に従って、様々な態様で実施できる。
【００１６】
【実施例１〜４及び比較例１〜７】
表１に示す組成の粉末状無害化処理剤を製造し、１５月間室温で保存した。１５月径過した時点でその１重量％水溶液を調製し、その時点で新たに製造した同じ組成の粉末状無害化処理剤の１重量％水溶液及びその段階的希釈液との色調と比較した。結果を表１、表２に示す。表１、表２における粉末の流動性評価において、〇印は直径３ｍｍの孔から容易に振り出せるもの、〇〜△印は若干固まり気味であるが容器を振ると崩れて振り出せるもの、△印は固まってはいないがしっとりしているもの、△〜▲印は固まっており、崩しても、しっとりしているものである。
【００１７】
【表１】
0003991186.tif 000002
【００１８】
【表２】
0003991186.tif 000003
【００１９】
各実施例から明らかなように、本発明の無害化処理剤は、１年径過後も食用色素青色２号の色度に変化が認められず、流動性、還元性にも変化が認められなかった。
【００２０】
【発明の効果】
次亜塩素酸塩を主成分とする塩素系漂白・除菌剤は、業務用、家庭用として巾広く使用されているが、使用法を誤ると塩素が急激に発生し危険であるばかりでなく、通常の使用に際しても手に塩素臭が残り不快であり、また手荒れ、肌荒れの原因となる。本発明の無害化処理剤は、使用した塩素系漂白・除菌剤の量及び有効塩素濃度が不明であっても適量を添加して無害化することができ、手に塩素臭が残らない。また無害化処理後の液を中性〜弱酸性にして、手のぬるつき感が残らないようにすることもできる。